(57)【要約】      （修正有）【課題】少なくとも第一および第二のシール部に二分割される上層シールを剥離自在に積層し、第一および／または第二のシール部を剥離して表出する下層シールにより販売促進の進捗状況が図れる販売促進用シールおよびその使用方法を提供する。【解決手段】裏面に第一の粘着剤層２が形成され、かつ、表面に販売促進商品の形を模したデザインが第一の色彩を用いて印刷された上層シール３と、裏面に第二の粘着剤層４が形成され、表面に上層シールと同じデザインが第二の色彩にて印刷された下層シール５とを備え、下層シールの表面に第一の粘着剤層を介して上層シールを剥離可能に積層して成る販売促進用シール１であって、上層シールには、少なくともこれを第一および第二のシール部に二分割するスリットが下層シールの表面に達するまで形成され、スリットに沿って第一および／または第二のシール部を剥離すると下層シール体の第二の色彩が表出する。【選択図】図２
2006171374.tif 000002
【特許請求の範囲】
【請求項１】
裏面に第一の粘着剤層が形成され、かつ、表面に販売促進商品の形を模したデザインが第一の色彩を用いて印刷された上層シール体と、
裏面に第二の粘着剤層が形成され、かつ、表面に前記と同じデザインが第二の色彩にて印刷された下層シール体と、を備え、前記下層シール体の表面に前記第一の粘着剤層を介して上層シール体を剥離可能に積層して成る販売促進用シールであって、
前記第一の上層シール体には、少なくともこれを第一および第二のシール部に二分割するスリットが下層シール体の表面に達するまで形成されるとともに、スリットに沿って前記第一および／または第二のシール部を剥離すると下層シール体の第二の色彩が表出することを特徴とする販売促進用シール。
【請求項２】
前記第一および第二の色彩は、前記第一の色彩が注意を喚起する暖色系の赤、黄などの色、また、第二の色彩は、寒色系の水色系などの色で、各々色分けされたことを特徴とする請求項１に記載の販売促進用シール。
【請求項３】
前記上層シール体の第一および／または第二のシール部の表面、並びに前記上層シール体の第一および／または第二のシール部の剥離により表出する前記下層シール体の表面に、販売促進段階別の進捗状況表示が印刷されていることを特徴とする請求項１に記載の販売促進用シール。
【請求項４】
裏面に第二の粘着剤層が形成され、かつ、表面に販売促進商品の形を模したデザインが第二の色彩を用いて印刷された下層シール体に対し、裏面に第一の粘着剤層が形成され、かつ、表面に第一の色彩にて前記と同じデザインが印刷され、さらに、スリットにより少なくとも第一および第二のシール部に二分割される上層シール体を、前記第一の粘着剤層を介して前記下層シール体の表面に積層して成る販売促進用シールを用いる販売促進用シールの使用方法であって、
前記デザインの商品を販売促進キャンペーン時、前記第二の粘着剤層を介して販売促進用シールを顧客の被着体に貼付け、顧客への説明・販売などの進捗状況に伴い前記上層シール体の第一並びに第二のシール部を順次剥離して下層シール体表面の第二の色彩を順次表出することを特徴とする販売促進用シールの使用方法。
【請求項５】
前記販売促進商品は、自動車用品であり、前記被着体は、顧客の自動車の一部であることを特徴とする請求項４に記載の販売促進用シールの使用方法。
【発明の詳細な説明】
【技術分野】
【０００１】
本発明は、特に、ガソリンスタンドなどで販売促進に用いて好適な販売促進用シールおよびその使用方法に関する。
【背景技術】
【０００２】
従来、ガソリンスタンドにおいて顧客の購入履歴や接客情報を管理し、顧客サービスの向上を図ったような「管理システム」が提案されている（例えば、特許文献１参照）。
この管理システムによれば、サービス管理センタに、各ガソリンスタンドが特定の顧客を登録し、顧客の給油や洗車等を行ったサービス購入履歴と、サービスの購入を伴わない接客履歴との両方を入力して、前記購入履歴と接客履歴に伴って発生するその後のサービス情報をサービス管理センタよりメールで顧客に送信するようになっている。
しかしながら、前記「管理システム」は、各種履歴を一元管理して各種サービス情報の顧客への提供には向いているものの、サービス管理センタに加盟する必要があるため導入コストが莫大になるという問題があり、かつ、顧客がガソリンスタンドにて給油する短い時間に販売促進キャンペーンを行う場合には不向きであった。すなわち、短い給油の間に顧客の番号、あるいは、ナンバープレートの番号を端末より入力して特定顧客の情報を読出し、この顧客に販売促進商品の説明をしたか、あるいは販売促進商品を購入済かなどの販売促進の進捗状況を確認する必要があり、サービス管理センタへの照会を怠ると重複して商品の説明を行うこともあり販売促進の効率が悪く、かつ、重複説明を受ける顧客が煩わしさを感じるだけでなく、ガソリンスタンドの顧客管理に対する不安感をつのらせる要因になるという問題があった。
販売促進（販促）するためのラベルとしては、販促表示部と内容明細部とから構成される商品ラベルがあるが（例えば、特許文献２参照）、商品の中身を見易くできるものの、段階的な進捗状況の把握などができなかった。
【特許文献１】特開２００３−１１８８００号公報
【特許文献２】特開２０００−９８８９７号公報
【発明の開示】
【発明が解決しようとする課題】
【０００３】
本発明は、上記の問題点に着目して成されたものであり、下層シール体に対し、少なくとも第一および第二のシール部に二分割される上層シール体を剥離自在に積層し、第一および／または第二のシール部を剥離して表出する下層シール体により販売促進の進捗状況が図れる販売促進用シールおよびその使用方法を提供することを課題とする。
【課題を解決するための手段】
【０００４】
第１の発明に係る販売促進用シールは、裏面に第一の粘着剤層が形成され、かつ、表面に販売促進商品の形を模したデザインが第一の色彩を用いて印刷された上層シール体と、裏面に第二の粘着剤層が形成され、かつ、表面に前記と同じデザインが第二の色彩にて印刷された下層シール体と、を備え、前記下層シール体の表面に前記第一の粘着剤層を介して上層シール体を剥離可能に積層して成る販売促進用シールであって、前記第一の上層シール体には、少なくともこれを第一および第二のシール部に二分割するスリットが下層シール体の表面に達するまで形成されるとともに、スリットに沿って前記第一および／または第二のシール部を剥離すると下層シール体の第二の色彩が表出することを特徴とする。
また、第一および第二の色彩は、第一の色彩が注意を喚起する暖色系の赤、黄などの色、また、第二の色彩は、寒色系の水色系などの色で、各々色分けされるようにできる。
また、上層シール体の第一および／または第二のシール部の表面、並びに上層シール体の第一および／または第二のシール部の剥離により表出する下層シール体の表面に、販売促進段階別の進捗状況表示が印刷されるようにできる。
さらに、第２の発明に係る販売促進用シールの使用方法は、裏面に第二の粘着剤層が形成され、かつ、表面に販売促進商品の形を模したデザインが第二の色彩を用いて印刷された下層シール体に対し、裏面に第一の粘着剤層が形成され、かつ、表面に第一の色彩にて前記と同じデザインが印刷され、さらに、スリットにより少なくとも第一および第二のシール部に二分割される上層シール体を、前記第一の粘着剤層を介して前記下層シール体の表面に積層して成る販売促進用シールを用いる販売促進用シールの使用方法であって、前記デザインの商品を販売促進キャンペーン時、前記第二の粘着剤層を介して販売促進用シールを顧客の被着体に貼付け、顧客への説明・販売などの進捗状況に伴い前記上層シール体の第一並びに第二のシール部を順次剥離して下層シール体表面の第二の色彩を順次表出することを特徴とする。
また、販売促進商品は、自動車用品であり、被着体は、顧客の自動車の一部であるようにできる。
【発明の効果】
【０００５】
本発明に係る販売促進用シールは、販売促進商品の形を模したデザインが第一の色彩で印刷された上層シール体と、前記上層シール体と同様のデザインが第二の色彩を用いて印刷された下層シール体とを積層するとともに、上層シール体をスリットにより、少なくとも第一および第二のシール部に二分割可能とし、スリットに沿って第一および／または第二のシール部を剥離すると下層シール体の第二の色彩が表出するようにしたので、第二のシール部を剥離することにより第二の色彩の下層シール体が表出し、剥離しないで残っている第一のシール部が第一の色彩で表されため、色彩の対比で販売促進状態が一目で判断でき、同じ顧客に、既に済んでいる商品説明を再度行って嫌がられるようなことがなくなるという効果がある。
また、第一の色彩を、注意を喚起する暖色系の赤、黄などの色に、また、第二の色彩を、寒色系の水色などの色で、各々色分けして印刷すれば、色の対比がより明確となる。
また、上層シール体の第一および／または第二のシール部の表面、並びに上層シール体の第一および／または第二のシール部の剥離により表出する下層シール体の表面に、販売促進段階別の進捗状況表示を印刷すれば、進捗状況表示により確認できるため、表出した色彩の対比との相乗効果で販売進捗状況がより明確になる。
さらに、第２の発明に係る販売促進用シールの使用方法は、販売促進時、販売促進商品の形を模したデザインの販売促進用シールを顧客の被着体（車）に貼付け、顧客への説明・販売などの進捗状況に伴い上層シール体の第一並びに第二のシール部を順次剥離して下層シール体表面の第二の色彩を順次表出するようにしたので、表出する箇所により販促段階が明確になるという効果がある。
【発明を実施するための最良の形態】
【０００６】
以下、本発明の一実施の形態を図１ないし図６に基づき説明する。
【０００７】
図１は、販売促進用シールを示す平面の概略説明図であり、図２は、図１中、矢示ＩＩ方向より見た概略断面説明図である。なお、以下においては、販売促進（以下、適宜単に「販促」と称する）の対象商品として、自動車（カー）用品の「バッテリー」を例にとって説明する。
【０００８】
主に、図２に示すように、販売促進用シール１は、裏面に第一の粘着剤層２が形成された上層シール体３と、第二の粘着剤層４を備えた下層シール体５とより形成され、前記第一の粘着剤層２を介して上層シール３は下層シール体５の上層部に積層されており、さらに、前記下層シール体５の第ニの粘着剤層４を介して帯状やシート状に形成された台紙６に、上層シール体３および下層シール体５が積層された状態の販売促進用シール１が剥離自在に仮着してある。
【０００９】
主に、図１にて示すように、上層シール体３は、販促の対象商品である「バッテリー」の形を模したデザインに型抜きされており、「バッテリー」の形のデザイン部の左右のほぼ中央部に、上端部から下端部に掛けて縦にスリット８が形成されており、このスリット８により上層シール体３は、第一のシール部７ａと、第二のシール部７ｂとに二分割されるようになっている。また、前記「バッテリー」の形を模したデザイン部は、第一の色彩で印刷された印刷部９と、下半分の一部分に「バッテリー溶液」を想起させる未印刷部１０と、商品名表示部１１と、から成り、印刷部９は、後述の「顧客への販促未実施」であることが判別し易いよう、注意を喚起する赤、黄などの暖色系の色で印刷されている。また、未印字部１０は上層シール体３の「地色」のままの部分である。さらに、商品名表示部１１には、販促対象商品の商品名（図示の例では、「Ａバッテリー」）が印刷されている。そして、この上層シール体３は、第一の粘着剤層２を介して後述の下層シール体５の上層に、剥離可能に積層されている。したがって、上層シール体３の第一のシール部７ａおよび第二のシール部７ｂは、おのおの指で摘まんで上方（図２における上方）に力を加えると、スリット８に沿って各々のシール部７ａ、７ｂが第二のシール体５より剥離可能なようになっている。また、剥離した第一および第二のシール部７ａ、７ｂの第一の粘着剤層２には、まだ粘着力が残っており、例えば、図示省略の台帳などに再貼付可能とされる。
【００１０】
次に、主に、図３に基づき、下層シール体５を説明する。図３は、台紙６に仮着された販売促進用シール１より、第一の粘着剤層２を介して仮着されている上層シール体３を剥離して下層シール体５を表出させた状態の平面の説明図である。同図に示すように、下層シール体５は、上層シール体３と同様、「バッテリー」の形を模したデザインに型抜きされており、第二の色彩で印刷された印刷部１２および商品名表示部１３から成り、印刷部１２は、青色系などの目立ち難い寒色系で印刷されている。
【００１１】
次に、図４ないし図６を参照して、本発明に係る販売促進用シール１の使用状態を説明する。
販促期間（キャンペーン）中に、図示省略のガソリンスタンドに立寄った顧客に給油をするために車の給油口の蓋（図示省略）をあけた際、販売促進用シール１が貼られていない顧客に対しては販促活動を行っていないため、台紙６より販売促進用シール１を下層シール体５および上層シール体３が積層された状態で剥離し（図４参照）、図示省略の給油口の蓋の裏に貼り付けるとともに、販売促進対象商品（Ａバッテリー）の説明を行う。「急いでいるので説明はしなくてよい」といわれた顧客に対しては、図４の状態、すなわち、暖色系の第一の色彩で印刷された印刷部９である「バッテリー」の形を模したデザインで表された上層シール体３が表面側に見える状態で貼り付けられる。このとき、上層シール体３には、第一の色彩で印刷された印刷部９と、未印字部１０が形成されており、注意を喚起する暖色系の第一の色彩で印刷された印刷部９と、上層シール体３の「地色」のままの印字部１０が表出しているため、印刷部９の暖色系の第一の色彩と、未印字部１０のコントラスト（対比）により、「顧客への販促未実施」であることがより明確とされる。
一方、説明を聞いてくれた顧客に対しては、「顧客への販促実施済」、すなわち、販促商品の説明が済んだ段階を表す手段として、上層シール体３の第二のシール部７ｂをスリット８に沿って剥離する。第二のシール部７ｂが剥離された側は、下層シール体５の第二の色彩である寒色系が表出されるため（図５参照）、左半分の上層シール体３の暖色系の第一のシール部７ａとのコントラスト（対比）で、「顧客への販促実施（製品の説明）済」段階であることがより明確となる。なお、剥離した第二のシール部７ｂは未印字部１０に、説明した係員の職印を押印するか、あるいは、サインをした上、第一の粘着剤層２を介して台帳（図示省略）に貼り付け、係員の成績あるいは責任が明確となるような「管理用のシール部」として使用することができるようになっている。
また、給油をするために車の給油口の蓋（図示省略）をあけた際、左半分が暖色系で、右半分が第二の色彩系である寒色系の下層シール体５が表出していた場合は、「顧客への販促実施（製品の説明）済」であるものの、まだ、販売に到っていないことを意味しているため、給油中に顧客へ再度「販売促進」を図るものである。
そして、販売が済んだ場合は、あるいは、販売した「バッテリー」をガソリンスタンドで載せ換えた際、上層シール体３の左半分の第一のシール部７ａを剥離する。第一のシール部７ａを剥離すると、車の給油口の蓋の裏（図示省略）には、寒色系の第二の色彩で「バッテリー」の形を模したデザインの下層シール体５（図６参照）が表出されることになる。
【００１２】
上述したように、販売促進商品の形を模したデザインが暖色系の第一の色彩で印刷された上層シール体３と、前記と同様のデザインが寒色系の第二の色彩で印刷された下層シール体５とを積層し、また、上層シール体３をスリット８により、少なくとも第一および第二のシール部７ａ、７ｂに二分割可能とし、販売促進、すなわち、製品の説明が済んだ顧客に対しては第二のシール部７ｂを剥離し、寒色系の第二の色彩で印刷された下層シール体５の印刷部１２を表出するようにしたため、左半分が第一の色彩の第一のシール部７ａであり、右半分が第二の色彩の印刷部１２の場合は、販売促進（製品の説明）が済んだ顧客であることが目視により明確となる。
また、販売活動が進んで、販促製品の販売が済んだ顧客に対しては、第一の色彩で印刷された第一のシール部７ａを剥がすようにすると、寒色系の第二の色彩の印刷部１２を備えた下層シール体５のみの「デザイン」が貼られていることになり、販促（キャンペーン）終了までこれを剥がさないでおくことにより、同一の顧客に何度も販促活動を行うことにより顧客に嫌がられることがなくなる。
【００１３】
次に、図７ないし図８を参照して、本発明の他の実施の形態につき説明する。
なお、以下において、先の実施の形態と同一の部分は同一符合を付すに止め、詳説を省略する。
図７は、販売促進用シール２１の、図４相当の平面説明図である。販売促進用シール２１は、裏面に第一の粘着剤層２が形成された上層シール体２３と、第二の粘着剤層４を備えた下層シール体２５とより形成され、前記第一の粘着剤層２を介して上層シール２３は下層シール体２５の上層部に積層されており、さらに、前記下層シール体２５の第ニの粘着剤層４を介して台紙６に、上層シール体２３および下層シール体２５が積層された状態の販売促進用シール２１が剥離自在に仮着してある。
【００１４】
主に、図７にて示すように、上層シール体２３は、販促の対象商品である「バッテリー」の一部を切欠いた形を模したデザインに型抜きされており、「バッテリー」の形のデザイン部の左右のほぼ中央部に、上端部から下端部に掛けて縦にスリット８が形成されており、このスリット８により上層シール体２３は、第一のシール部２７ａと、第二のシール部２７ｂとに二分割されるようになっている。また、前記「バッテリー」の形を模したデザインは、第一の色彩で印刷された印刷部２９と、下半分の一部分に「バッテリー溶液」を想起させる未印刷部３０と、商品名表示部１１と、切欠き部３１とが形成されており、印刷部２９は、「顧客への販促未実施」であることが判別し易いよう、暖色系の色で印刷されている。また、未印字部３０は上層シール体２３の「地色」のままの部分である。第二のシール部２７ｂは、下端部がスリット８の部分から右側端部に掛けて円弧状に切欠かれた形状を呈しており、スリット８との間に前記切欠き部３１が形成されている。この上層シール体２３は、第一の粘着剤層２を介して下層シール体２５の上層に、剥離可能に積層されている。したがって、上層シール体２３の第一のシール部２７ａおよび第二のシール部２７ｂは、おのおの指で摘まんで力を加えると、スリット８に沿って各々のシール部２７ａ、２７ｂが第二のシール体２５より剥離可能なようになっており、剥離の際、切欠き部３１の円弧状部分に指を添えると指が掛かり易い状態とされる。
【００１５】
図８は、台紙６に仮着された販売促進用シール２１より、第一の粘着剤層２を介して仮着されている上層シール体２３の第二のシール部２７ｂを剥離した図５相当の平面説明図である。下層シール体２５は、上層シール体２３と同様、「バッテリー」の形を模したデザインに型抜きされており、第二の色彩で印刷された印刷部３２および商品名表示部１３および販促段階メッセージ欄３５から成り、印刷部３２は、青色系などの目立ち難い寒色系で印刷されている。販促段階メッセージ欄３５には、販売促進がどの段階まで進んでいるかを示すメッセージ（図示の例では、「説明済」）が印刷されており、先の第二のシール部２７ｂを剥離して第二の色彩で印刷された印刷部３２を表出した際、「顧客への販促（説明）済」を表す印刷部３２の色彩とともに、文字を目視により確認できるため、販促段階がより明確となるものである。
また、先の切欠き部３１は、第二のシール部２７ｂが積層されている状態においても、下層シール体２５の印字部３２の第二の色彩が表出しており、下層シール体２５が存在することが一目瞭然に認識でき、さらに、暖色系の印刷部２９と寒色系の印刷部３２とのコントラスト（対比）により、「顧客への販促未実施」であることがより明確とされる。
その他の構成、作用、効果については、先の実施の形態とほぼ同様につき詳説を省略する。
【００１６】
なお、上記実施の形態の構成及び動作は例であって、本発明の趣旨を逸脱しない範囲で適宜変更することができることは言うまでもない。
【００１７】
例えば、第二のシール部２７ａの下層の下層シール体２５部分（左半分）に、書込み可能な「未印字部」を設けておき、販売、もしくは、交換した日付を記入できるようにしておけば販売管理ができ、次の販売促進に利用することができる。もしくは、「未印字部」に、販売促進（キャンペーン）期間を明記しておくことにより、販売促進用シール２１を剥がす時期が明確となる。
【図面の簡単な説明】
【００１８】
【図１】本発明の販売促進用シールが台紙に仮着された状態を示す平面の概略説明図である。
【図２】同、図１中、矢示ＩＩ―ＩＩ線に沿う概略断面図である。
【図３】同、下層シール体５を表出させた状態の平面の説明図である。
【図４】同、台紙より下層シール体および上層シール体が積層された状態で剥離した販売促進用シールを示す平面の概略説明図である。
【図５】同、下層シール体の第二の色彩である寒色系が一部表出された状態を示す平面の概略説明図である。
【図６】同、下層シール体の第二の色彩である寒色系が全面に表出された状態を示す平面の概略説明図である。
【図７】他の実施の形態の販売促進用シールを示す図４相当の平面説明図である。
【図８】同、下層シール体の第二の色彩である寒色系が一部表出された状態を示す図５相当の平面の概略説明図である。
【符号の説明】
【００１９】
１  販売促進用シール（第１の実施の形態）
２  第一の粘着剤層
３  上層シール体
４  第二の粘着剤層
５  下層シール体
６  台紙
７ａ  第一のシール部
７ｂ  第二のシール部
８  スリット
９  （上層シール体３の）印刷部
１０  未印刷部
１１  （上層シール体３の）商品名表示部
１２  （下層シール体５の）印刷部
１３  （下層シール体５の）商品名表示部
２１  販売促進用シール（第２の実施の形態）
２３  上層シール体
２５  下層シール体
２７ａ  第一のシール部
２７ｂ  第二のシール部
２９  （上層シール体２３の）印刷部
３０  未印刷部
３１  切欠き部
３２  （下層シール体２５の）印刷部
３５  販促段階メッセージ欄
【図１】
2006171374.tif 000003
【図２】
2006171374.tif 000004
【図３】
2006171374.tif 000005
【図４】
2006171374.tif 000006
【図５】
2006171374.tif 000007
【図６】
2006171374.tif 000008
【図７】
2006171374.tif 000009
【図８】
2006171374.tif 000010